(57)【特許請求の範囲】
【請求項１】
マイクロホン及び該マイクロホンを支持した筐体を備えた録音機器を着脱自在に収容するケース本体と、前記ケース本体内部に配置された吸音材からなるウインドスクリーンと、を備え、
前記ケース本体は、少なくとも一部に前記録音機器を着脱する開口部を有し、
前記ケース本体の形状は、前記マイクロホンを前記ウインドスクリーンと近接させた状態での前記録音機器の収納姿勢と、前記マイクロホンを前記開口部から露出させた状態での収納姿勢とを共に実現できるように構成されていることを特徴とするウインドスクリーン付きケース。
【請求項２】
前記ケース本体は、前記ウインドスクリーンを配置した部位と対応するケース本体外壁には外部音導入穴を有していることを特徴とする請求項１に記載のウインドスクリーン付きケース。
【請求項３】
前記開口部は、前記ケース本体の一端部に備えられていることを特徴とする請求項１又は２に記載のウインドスクリーン付きケース。
【請求項４】
前記ケース本体は、前記開口部を開閉する蓋部材を備えていることを特徴とする請求項１又は２に記載のウインドスクリーン付きケース。
【請求項５】
前記ケース本体は、前記録音機器の少なくとも一部を支持するベース片と、該ベース片と一体化されて前記マイクロホンを備えた前記録音機器端部を包囲する包囲片と、から構成されており、該包囲片内部には前記ウインドスクリーンが配置されていることを特徴とする請求項１又は２に記載のウインドスクリーン付きケース。
【請求項６】
前記ウインドスクリーンは、特性の異なる複数の吸音材を積層した構成を有することを特徴とする請求項１乃至５の何れか一項に記載のウインドスクリーン付きケース。
【請求項７】
前記録音機器は、マイク内蔵型ポータブルレコーダ、又は棒状マイクロホンであることを特徴とする請求項１乃至６の何れか一項に記載のウインドスクリーン付きケース。
【発明の詳細な説明】
【技術分野】
【０００１】
本発明は、マイクロホン又はマイクロホン内蔵型ポータブルレコーダに装着されて、風切り音や振動による雑音を防止するウインドスクリーンに関する。
【背景技術】
【０００２】
マイクロホンやマイクロホン内蔵型ポータブルレコーダ（以下「ポータブルレコーダ」という。）を用いて録音する際に、風切り音や振動音等が録音されないようにするために、マイクロホンの集音部を発泡ウレタン等の吸音材で構成されたウインドスクリーン（風除け）で覆うことが行われている。
図１０は、ポータブルレコーダにウインドスクリーンを装着した従来例を示す図であり、（ａ）は装着前の状態、（ｂ）は装着後の状態を示している。図に示すように、ポータブルレコーダ１００は、筐体１０１にマイク１０２を内蔵しており、筐体１０１のマイク１０２部分をウインドスクリーン１０３で覆って、風切り音や振動音を低減させている。
また、図１１は棒状のマイクにウインドスクリーンを装着した従来例を示す図であり、（ａ）は装着前の状態、（ｂ）は装着後の状態を示している。図に示すように、棒状のマイク１０４は、筐体１０５の一端部側に集音部１０６を有しており、集音部１０６をウインドスクリーン１０７で覆って、風切り音や振動音を低減させている。
このように、マイク部分をウインドスクリーンで覆うことはよく行われている。例えば、特許文献１乃至３には、ウインドスクリーン及びこれを装着したマイクについて記載されている。
【特許文献１】特開平１１−２７５６７２号公報
【特許文献２】特開２０００−２１７１７７公報
【特許文献３】特開２００５−３４７９８４公報
【発明の開示】
【発明が解決しようとする課題】
【０００３】
しかしながら、特許文献１乃至３に記載の発明では、ウインドスクリーンをマイクやポータブルレコーダの上から装着しなければならないため、製品の外観を損ねてしまうという問題があった。
また、例えば、屋外で録音する場合と屋内で録音する場合とでは、録音状況が異なるし、会話を録音する場合と自然音を録音する場合とでも、録音状況が異なる。ウインドスクリーンを装着するか否かは、このような録音状況の変化に応じて決定する必要がある。そのため、各録音状況に臨機応変に対応するためには、マイクロホン等とは別体のウインドスクリーンを常に携帯しなければならず、不使用時には邪魔になり、ウインドスクリーンを紛失するするおそれがあった。
本発明は、上記実状に鑑みてなされたものであり、ウインドスクリーンを別途携帯する必要がなく、ウインドスクリーンの装着または非装着を選択可能に録音機器を収納可能なウインドスクリーン付きケースを提供することを目的とする。
【課題を解決するための手段】
【０００４】
上述の課題を解決するために、請求項１に記載の発明は、マイクロホン及び該マイクロホンを支持した筐体を備えた録音機器を着脱自在に収容するケース本体と、前記ケース本体内部に配置された吸音材からなるウインドスクリーンと、を備え、前記ケース本体は、少なくとも一部に前記録音機器を着脱する開口部を有し、前記ケース本体の形状は、前記マイクロホンを前記ウインドスクリーンと近接させた状態での前記録音機器の収納姿勢と、前記マイクロホンを前記開口部から露出させた状態での収納姿勢とを共に実現できるように構成されているウインドスクリーン付きケースを特徴とする。
請求項１に記載の発明では、ケースに機器を収容した際に、ケースに内蔵されたウインドスクリーンと機器のマイクロホンとが近接するとともに、マイクロホンをウインドスクリーンに近接させて収納することも、マイクロホンを外部に露出させた状態で収納することもできる。
また、請求項２に記載の発明は、前記ケース本体は、前記ウインドスクリーンを配置した部位と対応するケース本体外壁には外部音導入穴を有している請求項１に記載のウインドスクリーン付きケースを特徴とする。
請求項２に記載の発明では、外部音は外部音導入穴からウインドスクリーンを介して機器のマイクロホンに導入される。
また、請求項３に記載の発明は、前記開口部は、前記ケース本体の一端部に備えられている請求項１又は２に記載のウインドスクリーン付きケースを特徴とする。
請求項３に記載の発明では、録音機器の着脱はケース本体の一端部に備えられた開口部から行われる。
【０００５】
また、請求項４に記載の発明は、前記ケース本体は、前記開口部を開閉する蓋部材を備えている請求項１又は２に記載のウインドスクリーン付きケースを特徴とする。
請求項４に記載の発明では、ケースの開口部から機器を入れた後、開口部が閉じられる。
また、請求項５に記載の発明は、前記ケース本体は、前記録音機器の少なくとも一部を支持するベース片と、該ベース片と一体化されて前記マイクロホンを備えた前記録音機器端部を包囲する包囲片と、から構成されており、該包囲片内部には前記ウインドスクリーンが配置されている請求項１又は２に記載のウインドスクリーン付きケースを特徴とする。
請求項５に記載の発明では、機器の一部がベース片に支えられ、機器の端部が包囲された状態で機器がケースに収納される。
また、請求項６に記載の発明は、前記ウインドスクリーンは、特性の異なる複数の吸音材を積層した構成を有する請求項１乃至５の何れか一項に記載のウインドスクリーン付きケースを特徴とする。
請求項６に記載の発明では、ケースに内蔵するウインドスクリーンは、複数の吸音材が積層された構成を有する。
また、請求項７に記載の発明は、前記録音機器は、マイク内蔵型ポータブルレコーダ、又は棒状マイクロホンである請求項１乃至６の何れか一項に記載のウインドスクリーン付きケースを特徴とする。
請求項７に記載の発明では、ウインドスクリーン付きケースに内蔵して使用する機器は、マイク内蔵型ポータブルレコーダでも、棒状マイクロホンであっても良い。
【発明の効果】
【０００６】
本発明によれば、機器を収納するケースにウインドスクリーンを内蔵したので、ウインドスクリーンを別途持ち歩く必要が無くなり、ウインドスクリーンの紛失を防止するとともに、ウインドスクリーンの装着または非装着を選択可能に録音機器を収納することができる。
【発明を実施するための最良の形態】
【０００７】
以下、本発明の実施形態を詳細に説明する。
［第一の実施形態］
本発明第一の実施形態について、図１乃至３に基づいて説明する。
図１は、本発明のウインドスクリーン付きケースを示す図であり、（ａ）は正面図、（ｂ）は（ａ）のＡ−Ａ断面図である。
本発明のウインドスクリーン付きケース１０は、図１に示すように、内部に機器を収容する収納部１４を備えたケース本体１１と、ケース本体１１の一端部に設けられて機器を着脱するための着脱用開口１２と、ケース本体の他端部に設けられて外部音取り入れるための外部音導入穴１３と、機器を収納する収納部１４と、機器を操作し、機器の表示を目視するために正面に形成された開口部１５と、前記外部音導入穴１３の内側に配置されるウインドスクリーン１６と、を備えている。
ケース本体１１の一端部に設けた外部音導入穴１３を塞ぐように、発泡ウレタン等の吸音材から構成されるウインドスクリーン１６が配置されている。外部音導入穴１３を介して導入された外部音はウインドスクリーン１６を介して収納部１４内に収納された機器のマイクホロンに導入される。ケース１０に収納する機器は、着脱用開口１２を通じて容易に着脱可能である。
【０００８】
図２は、ケース１０に収納する機器の一例であるポータブルレコーダ１の正面図である。ポータブルレコーダ１は、やや厚みのある板状の筐体２と、筐体２の短辺側一端部に配置した３つの内蔵マイク３と、正面に配置した表示部４と操作部５とを備えている。
ケース１０の収納部１４はポータブルレコーダ１の外形に整合状態で密着する内面形状を有しており、ケース１０にポータブルレコーダ１を収納した状態で、がたつきが生じないようになっている。また、ケース本体１１の正面には大型の開口部１５が開けられており、開口部１５から露出した表示部４を視認できるとともに、操作部５を操作できるようになっている。そのため、ケース１０にポータブルレコーダ１を収納しても、機器の操作及び表示の目視が可能となっている。開口部１５は、ポータブルレコーダ１の防汚のために、透明シート等で覆っても良い。
【０００９】
上記構成を有するケース１０の使用方法について説明する。図３は、ポータブルレコーダ１をケース１０内に収納した様子を示す図であり、（ａ）はマイク３をウインドスクリーン１６側に向けて収納した様子を示し、（ｂ）はマイク３をウインドスクリーン１６の反対側に向けて収納した様子を示す図である。図に示すように、ケース１０は、ポータブルレコーダ１をいずれの向きに収納しても、その収納姿勢を保つことが可能に構成されている。
図３（ａ）のように収納した場合には、マイク３とウインドスクリーン１６とが近接して配置される。外部音は外部音導入穴１３からウインドスクリーン１６を通過してマイク３に到達するので、風切り音や振動による雑音はウインドスクリーンによって減衰、消音され、これらの雑音を低減した音がポータブルレコーダ１に録音される。また、図３（ｂ）のように収納した場合には、マイク３は着脱用開口１２側に配置され、外部に露出するので、外部音は直接マイク３に到達する。従って、ポータブルレコーダ１をケース１０に収納したままでも、ウインドスクリーン１６なしで録音することができ、ケース１０を紛失するおそれがなくなる。また、ポータブルレコーダ１を（ａ）、（ｂ）に示すいずれの向きに収納しても、表示部４と操作部５は開口部１５から露出するので、操作性を妨げることはない。
本実施形態では、ポータブルレコーダ１の操作をするための開口部１５は、ケース本体１１に１つ設けられているのみであるが、ポータブルレコーダ１の裏面あるいは側面に配置された操作ボタンやイヤホンジャック等も、ケース１０に収納した状態で使用できるように、ケース本体１１の正面以外の部分に操作用の開口部を備えても良い。
【００１０】
また、ケース１０内のウインドスクリーン１６を着脱自在に構成して、交換できるようにしても良い。このようにすれば、録音状況に応じて適切な吸音効果を得られるウインドスクリーン１６を選択して装着することができる。また、ウインドスクリーン１６が劣化した場合にはウインドスクリーン１６だけを交換すれば良い。いずれの場合にも、ケース１０をそのまま継続して使用できるので、経済的である。
また、ケース１０に収納するウインドスクリーン１６には、吸音特性の異なる素材を複数用いても良い。例えば、特性の異なる吸音材を積層した構造を有するウインドスクリーン１６としたり、或いは、マイク３の位置ごとに異なる吸音材を配置したりすることが考えられる。
【００１１】
このように、本発明は、機器を収納するケースに吸音材からなるウインドスクリーンを内蔵したので、格別のウインドスクリーンを持ち運ぶ必要が無くなり、ウインドスクリーンの紛失を防止できる。また、ポータブルレコーダの挿入方向を変更するだけで、操作性を低下させることなく吸音効果の要否を選択できる。また、製品の外観にウインドスクリーンが出ないため、外観に優れるとともに、ウインドスクリーンも保護される。吸音材の種類を交換することや、複数の吸音材を組み合わせることも可能であり、その結果、録音環境に合わせた最適な吸音効果が得られる。
なお、本実施形態は３つの内蔵マイクを有するポータブルレコーダの例により説明したが、マイクの数はこれ以下であってもこれ以上であっても、またマイクの位置が本実施例と異なっていても本発明を同様に実施することができ、マイクの数や位置は特に限定されないことは言うまでもない。
以上の説明では、ウインドスクリーン付きケースに収納する機器としてポータブルレコーダを例に挙げて説明したが、本発明はマイクを内蔵したその他の機器に適用することもできる。
【００１２】
次に、本発明の第二の実施形態について図４に基づいて説明する。本実施形態のウインドスクリーン付きケースは、第一の実施形態と収納方法が異なる点が特徴的である。以下の説明では、主として第一の実施形態と異なる点について説明する。
図４は、本発明の第二の実施形態に係るウインドスクリーン付きケース２０の斜視図である。図に示すように、本実施形態のウインドスクリーン付きケース２０は、正面と、長手方向一端面が開放したケース本体２１と、機器を着脱するためにケース本体２１の正面に形成された着脱用開口２２と、着脱用開口２２の一端縁により開閉自在に支持された蓋部材２７と、ケース本体２１の長手方向一端部に形成されて外部音を取り入れるための第一の外部音導入穴２３と、ケース本体２１に対して蓋部材２７を閉止したときに形成される空間である機器を収納する収納部２４と、収納部２４に収納された機器を操作し、機器の表示を目視するための開口部２５と、第一の外部音導入穴２３を塞ぐように配置されたウインドスクリーン２６と、を備えている。
さらにケース２０は、着脱用開口２２を開閉する蓋部材２７に備えられて蓋部材２７をケース本体２１に留めるフラップ２８と、ケース本体２１に備えられてフラップ２８を留める留め具２９と、外部音を取り入れるために第一の外部音導入穴２３と対向する端部に設けられた第二の外部音導入穴３０と、ケース２０に収納された機器の脱落を防止する脱落防止片３１と、を備えている。ケース２０には、ポータブルレコーダ１が収納される。
【００１３】
本実施形態の着脱用開口２２はケース２０の正面に配置され、蓋部材２７により閉止される。フラップ２８と留め具２９には、それぞれ対となるホックや面ファスナ等が備えられ、蓋部材２７をケース本体２１に固定することができる。また、蓋部材２７は開口部２５を備えており、ポータブルレコーダ１を収納部２４に収納し、蓋部材２７を閉止した状態でポータブルレコーダ１の表示部４の目視、操作部５の操作が可能である。
ウインドスクリーン２６はケース本体２１の一端部に配置され、ウインドスクリーン２６が配置されたケース本体２１の端面には第一の外部音導入穴２３が開けられている。また、ケース本体２１の他端部には、外部音を取り入れるための第二の外部音導入穴３０が開けられている。さらに、第二の外部音導入穴３０の周囲は脱落防止片３１を配置し、収納されたポータブルレコーダ１の端面を部分的に支持して、その脱落を防止する。図４では、第二の外部音導入穴３０は１つの開口から構成されているが、第二の外部音導入穴３０をマイク３の位置に合わせて複数の開口で構成するようにして、ケース本体２１の端面残部を脱落防止片３１とすれば、脱落防止片３１が梁の役割を果たすので、ケース本体２１の強度を高くすることができる。
【００１４】
本実施形態のケース２０も第一の実施形態と同様に、マイク３をウインドスクリーン２６側に向けてポータブルレコーダ１を収納することも、第二の外部音導入穴３０側に向けて収納することもできる。マイク３をウインドスクリーン２６側に向けて収納した場合には、第一の外部音導入穴２３からウインドスクリーン２６を介して外部音を取り入れることができる。また、マイク３を第二の外部音導入穴３０側に向けて収納した場合には、外部音を直接取り入れることができる。
このように、本実施形態によれば、ポータブルレコーダ１のケース２０への挿入方向を変えることにより、ウインドスクリーン２６の効果の要否を選択することができる。また、いずれの方向に挿入した場合でも、ポータブルレコーダ１を使用できる。さらに、着脱用開口２２をケース本体２１の正面に配置して、蓋部材２７で閉止するようにしたので、着脱用開口２２が大型になりポータブルレコーダ１の着脱が容易である。また、脱落防止片３１を備えたので、ポータブルレコーダ１がケース２０から脱落することがない。
【００１５】
次に、本発明の第三の実施形態について、図５に基づいて説明する。本実施形態のウインドスクリーン付きケースは、第一及び第二の実施形態と収納方法が異なり、収納されるポータブルレコーダ１の一部分を覆うように構成した点が特徴的である。以下の説明では、主として第一及び第二の実施形態と異なる点について説明する。
図５は、本発明の第三の実施形態に係るウインドスクリーン付きケース４０の斜視図である。
本実施形態のウインドスクリーン付きケース４０は、収納される機器の裏面を支持するベース片４１と、ベース片４１から立設されてポータブルレコーダ１の位置ずれによる脱落を防止する外周壁４２と、収納される機器の長手方向一端部寄りの周囲を覆う包囲片４３と、包囲片で覆われた包囲空間４４と、ケース４０の一端部から包囲空間４４内に外部音を取り入れる外部音導入穴４５と、包囲片４３によって覆われておらず、機器をケース４０内に着脱するための着脱用開口４６と、包囲空間４４内の外部音導入穴４５を塞ぐように配置されたウインドスクリーン４７と、を備えている。
【００１６】
包囲片４３はベース片４１と一体的に形成されて、ケース４０に収納されるポータブルレコーダ１の一端部側を所定の範囲にわたって包囲する。また、外周壁４２は壁状の部材であり、ポータブルレコーダ１の側面を部分的に支持して、その位置ずれによる脱落を防止する。
ポータブルレコーダ１をケース４０に収納するためには、ポータブルレコーダ１を着脱用開口４６から包囲空間４４内に滑り込ませるように挿入する。包囲片４３に覆われていないポータブルレコーダ１の側面は、部分的に外周壁４２に支持されて、ケース４０との位置ずれによる脱落を防止できる。なお、図示しないが、ポータブルレコーダ１の適所と、これに対応する外周壁４２の適所とに凹部や爪等の対となる部材を備え、これらの部材がポータブルレコーダ１の収納時にかみ合うように構成すれば、ポータブルレコーダ１のがたつきを防止できるとともに、脱落を確実に防止することができる。
【００１７】
本実施形態のケース４０も第一、第二の実施形態と同様に、マイク３をウインドスクリーン４７側に向けてポータブルレコーダ１を収納することも、マイク３のない端部をウインドスクリーン４７側に向けて収納することもできる。マイク３をウインドスクリーン４７側に向けて収納した場合には、外部音導入穴４３からウインドスクリーン４７を介して外部音を取り入れることができる。また、マイク３のない端部をウインドスクリーン４７側に向けて収納した場合には、マイク３は外部音を直接取り入れることができる。
このように、本実施形態においても、ポータブルレコーダ１のケース４０への挿入方向を変えることにより、ウインドスクリーン４７の効果の要否を選択することができる。また、いずれの方向に挿入した場合でも、表示部４と操作部５は外部に露出しているので、ポータブルレコーダ１を使用できる。さらに、外周壁４２を備えたので、ポータブルレコーダ１がケース４０から脱落することがない。
【００１８】
次に、本発明の第四の実施形態について、図６に基づいて説明する。本実施形態は、マイクロホンにウインドスクリーン付きケースを適用したものである。以下の説明では、主として第一乃至第三の実施形態と異なる点について説明する。
図６は、本発明の第四の実施形態に係るマイクロホン用のウインドスクリーン付きケースを示す図であり、（ａ）は斜視図、（ｂ）は（ａ）のＢ−Ｂ断面図である。
本実施形態に係るウインドスクリーン付きケース５０は、図６に示すように、内部に棒状マイクロホンを収納する収納部５４を備えた筒状のケース本体５１と、ケース本体５１の一端部に設けられてマイクロホンを着脱するための着脱用開口５２と、ケース本体５１の他端部に設けられて外部音を取り入れるための外部音導入穴５３と、マイクロホンを収納する収納部５４と、外部音導入穴５３を塞ぐようにその内側に配置されるウインドスクリーン５６と、を備えている。
【００１９】
図７は、ケース５０に収納する機器の一例である棒状のマイクロホンの斜視図である。マイクロホン（マイク）６は、筐体７と、筐体７の一端部に配置された集音部８と、筐体７の他端部に配置されてマイク６により電気信号に変換された音を録音機等に伝達するケーブル９とを備えた、一般的なマイクロホンである。
ケース５０の収納部５４は、マイク６の外形に整合状態で密着する内面形状を有しており、ケース５０にマイク６を収納した状態で、がたつきが生じないようになっている。また、図示していないが、マイク６にオン／オフスイッチ等が備えられている場合には、ケース本体５１の適所に開口部を備えて、マイク６をケース５０内に収納した状態であってもスイッチの操作をできるように構成してもよい。
【００２０】
図８は、図６のマイク６を図７のケース５０内に収納した様子を示す図であり、（ａ）は集音部８をウインドスクリーン５６側に向けて収納した様子を示し、（ｂ）は集音部８を着脱用開口５２側に向けて収納した様子を示す図である。図に示すように、ケース５０は、マイク６をいずれの向きに収納しても、その収納姿勢を保つことが可能に構成されている。
図８（ａ）に示すように、集音部８をウインドスクリーン５６側に向けて収納した場合には、集音部８がウインドスクリーン５６に近接するので、外部音は外部音導入穴１３からウインドスクリーン１６を通過してマイク６に到達する。また、図８（ｂ）に示すように、集音部８を着脱用開口５２側に向けて収納した場合には、集音部８は外部に露出するので、外部音は直接集音部８に到達する。
このように、本実施形態によれば、マイクロホンを収納するケースにウインドスクリーンを内蔵したので、格別のウインドスクリーンを持ち歩く必要が無くなり、ウインドスクリーンの紛失を防止することができる。また、ケースへの収納方向を変えるだけで、ウインドスクリーン効果の要否を選択できる。また、ウインドスクリーンを使用している時であってもマイクロホンの外観にウインドスクリーン部分が出ないため、外観に優れるとともに、ウインドスクリーンを構成する吸音材の保護も可能となる。
【００２１】
次に、本発明の第五の実施形態について図９に基づいて説明する。本実施形態のウインドスクリーン付きケースは、マイクロホンにウインドスクリーン付きケースを適用したものであり、ヒンジ部を介して開閉自在に連接された２つの半円筒状の分割片からなる円筒体から構成されている点に特徴がある。以下の説明では、主として第四の実施形態と異なる点について説明する。
図９は、本発明の第五の実施形態に係るマイクロホン用のウインドスクリーン付きケースの斜視図である。
本実施形態のウインドスクリーン付きケース６０は、マイクロホンの収納部６３を備えた円筒体からなるケース本体６１と、ケース本体６１を構成する半円筒状の第一の分割片６１ａと第二の分割片６１ｂと、第一の分割片６１ａと第二の６１ｂとを開閉自在に連接するヒンジ部６２と、マイクロホンの収納部６３と、ケース本体６１の一端面に備えられて外部音をケース本体６１内に取り入れる第一の外部音導入穴６４と、第一の外部音導入穴６４を塞ぐように配置されたウインドスクリーン６５と、ケース本体６１の他端面に備えられて外部音をケース本体６１内に取り入れる第二の外部音導入穴６６と、第二の外部音導入穴６６の周囲にケース本体６１と一体的に形成された環状の脱落防止片６７と、第一の分割片６１ａに備えられて第一の分割片６１ａを第二の分割片６１ｂに留めるフラップ６８と、第二の分割片６１ｂに備えられてフラップ６８を留める留め具６９と、を備える。
ケース本体６１は樹脂から構成することにより、ヒンジ部６２と各分割片６１ａ、６１ｂとを一体的に射出成形することができる。
【００２２】
また、図示していないが、マイク６にオン／オフスイッチ等が備えられている場合には、ケース本体６１の適所に開口部を備えて、マイク６をケース６０に収納した状態であってもスイッチの操作をできるように構成してもよい。
本実施形態では、ヒンジ部６２を回動支点として第一の分割片６１ａと第二の分割片６１ｂとを開放させることにより収納部６３を外部に開放して、マイク６を収納部６３に収納する。そして、第一の分割片６１ａを逆方向に回動させて密着させた後、フラップ６８と留め具６９とを接続して、ケース本体６１を閉止する。
本実施形態においても、集音部８をウインドスクリーン６６側に向けて収納することも、第二の外部音導入穴７０側に向けて収納することもでき、いずれの収納姿勢であっても、マイク６を使用することができる。従って、録音状況の変化に応じて、ウインドスクリーンの要否を選択できる。
このように、本実施形態によれば、マイクを収納するケースにウインドスクリーンを内蔵したので、格別のウインドスクリーンを持ち歩く必要が無くなり、ウインドスクリーンの紛失を防止することができる。また、ウインドスクリーンを使用している時であってもマイクの外観にウインドスクリーン部分が出ないため、外観に優れるとともに、ウインドスクリーンを構成する吸音材の保護も可能となる。
【図面の簡単な説明】
【００２３】
【図１】第一の実施形態に係るウインドスクリーン付きケースを示す図であり、（ａ）は正面図、（ｂ）は（ａ）のＡ−Ａ断面図である。
【図２】ウインドスクリーン付きケースに収納するポータブルレコーダの正面図である。
【図３】ポータブルレコーダをウインドスクリーン付きケース内に収納した様子を示す図であり、（ａ）はマイクをウインドスクリーン側に向けて収納した様子を示し、（ｂ）は、マイクをウインドスクリーンの反対側に向けて収納した様子を示す図である。
【図４】第二の実施形態に係るウインドスクリーン付きケースの斜視図である。
【図５】第三の実施形態に係るウインドスクリーン付きケースの斜視図である。
【図６】第四の実施形態に係るマイクロホン用ウインドスクリーン付きケースを示す図であり、（ａ）は斜視図、（ｂ）は（ａ）のＢ−Ｂ断面図である。
【図７】ウインドスクリーン付きケースに収納するマイクロホンの例を示す斜視図である。
【図８】マイクロホンをウインドスクリーン付きケースに収納した様子を示す図であり、（ａ）は集音部をウインドスクリーン側に向けて収納した様子を示し、（ｂ）は、集音部をウインドスクリーンの反対側に向けて収納した様子を示す図である。
【図９】第五の実施形態に係るマイクロホン用ウインドスクリーン付きケースを示す図である。
【図１０】ポータブルレコーダへウインドスクリーンを装着した従来例を示す図であり、（ａ）は装着前の状態、（ｂ）は装着後の状態を示す図である。
【図１１】棒状のマイクロホンへウインドスクリーンを装着した従来例を示す図であり、（ａ）は装着前の状態、（ｂ）は装着後の状態を示す図である。
【符号の説明】
【００２４】
１…ポータブルレコーダ、２…筐体、３…マイク、４…表示部、５…操作部、６…マイク、７…筐体、８…マイク部、９…ケーブル、１０、２０、４０、５０、６０…（ウインドスクリーン付き）ケース、１１、２１、５１…ケース本体、１２、２２、５２…着脱用開口、１３、２３、５３…（第一の）外部音導入穴、１４、２４、５４…収納部、１５、２５…開口部、１６、２６、５６…ウインドスクリーン、２７…蓋部材、２８…フラップ、２９…留め具、３０…第二の外部音導入穴、３１…脱落防止片、４１…ベース片、４２…外周壁、４３…包囲片、４４…包囲空間、４５…外部音導入穴、４６…着脱用開口、４７…ウインドスクリーン、６１…ケース本体、６１ａ…第一の分割片、６１ｂ…第二の分割片、６２…ヒンジ部、６３…収納部、６４…第一の外部音導入穴、６５…ウインドスクリーン、６６…第二の外部音導入穴、６７…脱落防止片、６８…フラップ、６９…留め具、１００…ポータブルレコーダ、１０１…筐体、１０２…マイク、１０３…ウインドスクリーン、１０４…マイク、１０５…筐体、１０６…集音部、１０７…ウインドスクリーン
【図１】
0004998370.tif 000002
【図２】
0004998370.tif 000003
【図３】
0004998370.tif 000004
【図４】
0004998370.tif 000005
【図５】
0004998370.tif 000006
【図６】
0004998370.tif 000007
【図７】
0004998370.tif 000008
【図８】
0004998370.tif 000009
【図９】
0004998370.tif 000010
【図１０】
0004998370.tif 000011
【図１１】
0004998370.tif 000012